(57)【要約】      （修正有）【課題】杖の傾斜角度に応じて杖末端が搖動して、滑り止め効果を高める滑動関節転動式滑り止め杖脚パッドを提供する。【解決手段】滑動関節転動式滑り止め杖脚パッドは、杖脚パッド本体１を設置し、該杖脚パッド本体は、受け台１１及び基台１２を含み、その受け台は、一般の杖の末端を直接凹溝１１１内に挿入させることができ、且つ受け台及び基台の間に半円弧体状の傾斜ガイド３０を設置する。これにより、受け台及び基台の間に弾性空間を形成させ、使用者が杖を支持するよう移動する時、傾斜ガイドの誘導を受けて、下向きの力量を与え、受け台に杖の傾斜角度に従って弾性的に前後左右異なる方向に搖動させ、且つ基台底端に環状体１２２を設置し、地面に対し掴む力を増加し、地面と適当な貼付状態を保持し、支持の安定性を増加するだけでなく、滑り止めを行う。【選択図】図１
0003173737.tif 000002
【実用新案登録請求の範囲】
【請求項１】
杖脚パッド本体を設置し、該杖脚パッド本体は、受け台及び基台を含み、
そのうち、受け台の軸心位置に凹溝を設置し、該凹溝底端軸心は、貫通孔を貫通設置し、
基台軸心箇所に下向きに定位孔を凹設し、該定位孔の底端は、定位溝を延伸し、
定位溝は、スタッドのスタッド東部の形状と対応し、螺子柱及び基台を互いに結合し、スタッド東部を該定位溝内に固定し、コーティング固定状を形成し、
傾斜ガイドは、該傾斜ガイドの軸心位置に軸心通孔を貫通設置し、
該受け台底端は、嵌合溝を設置し、金属パッドを対応して安置し、
スタッドの柱体は、底台上端の中央部位から傾斜ガイドの軸心通孔に延伸し、貫通し、受け台底端の金属パッドの軸心通孔を貫通し、受け台の貫通孔を貫通し、受け台の凹溝底部まで延伸し、
ナットによりスタッドの柱体上に対応して螺合し、受け台及び基台を相互に結合し、一体に固定し、且つ該受け台及び基台の間に弾性空間を形成する活動関節転動式滑り止め杖脚パッド。
【請求項２】
前記傾斜ガイドが半円弧体状を呈する請求項１に記載の滑動関節転動式滑り止め杖脚パッド。
【請求項３】
前記受け台が錐体状を呈する請求項１に記載の滑動関節転動式滑り止め杖脚パッド。
【請求項４】
前記基台が環状体である請求項１に記載の滑動関節転動式滑り止め杖脚パッド。
【請求項５】
前記基台の底端外環が外環状体を凸設する請求項１に記載の滑動関節転動式滑り止め杖脚パッド。
【請求項６】
前記基台の底端に少なくとも１つの環状体を設ける請求項１に記載の滑動関節転動式滑り止め杖脚パッド。
【請求項７】
前記基台上端中央部位に突出部を延伸する請求項１に記載の滑動関節転動式滑り止め杖脚パッド。
【請求項８】
前記基台上端及び傾斜ガイドの間の柱体上にそれぞれ金属パッド及びナットを設け、該ナットは、柱体上に対応して螺合し、金属パッドを基台上端に締結固定する請求項１に記載の滑動関節転動式滑り止め杖脚パッド。
【請求項９】
前記傾斜ガイド上方及び受け台底端の嵌合溝内の金属パッドの間は、金属パッドを設ける請求項１に記載の滑動関節転動式滑り止め杖脚パッド。
【請求項１０】
前記受け台底端の嵌合溝内の金属パッドの軸心通孔の外周に少なくとも１つの通孔を設け、螺子を対応して貫通し、金属パッドを受け台底端の嵌合溝内に螺合する請求項１に記載の滑動関節転動式滑り止め杖脚パッド。
【考案の詳細な説明】
【技術分野】
【０００１】
本考案は、活動関節転動式滑り止め杖脚パッドに関し、特に、杖末端に設け、杖の傾斜角度に従い、弾性的に前後、左右の異なる方向にねじれ、搖動することができ、滑り止め効果を有する活動関節転動式滑り止め杖脚パッドに関する。
【背景技術】
【０００２】
但し、従来の杖の脚パッドは、何れも一体に成型されるプラスチック杖脚パッドであり、地面との接触面積が小さく、支持が不安定であるだけでなく、滑り易く、使用者が滑り易く、水のある地面を歩く時、しばしば滑って倒れる危険状況が発生し、従来のプラスチック杖脚パッドは、何れも硬質なプラスチック材質を採用して形成され、弾性が全くないためであり、平滑でない路面又は傾斜に使用する時、歪んだ角度を発生し易く、行動が不便な者が再度転倒するかもしれないという致命的な欠陥を有し、更には、生命の安全に危害を与え、挽回不可能な遺憾を招く可能性があり、これも従来の杖に弾性がないにもかかわらず、人体の重量を支持することに用いるからであり、使用者に極度の不快的を感じさせ、更に、摩損、亀裂の現象を生じ易く、しばしば脚パッドを交換しなければならず、使用者及び関連業者に極めて大きな不便及び困難を引き起こす。
【０００３】
以上の欠陥は、関連業者又は使用者が突破することができずにいる長らくの課題である。
【考案の概要】
【考案が解決しようとする課題】
【０００４】
本考案者は、前記従来の杖脚パッドの諸欠陥に対し、研究に精進し、積極的に研究開発、創作を行い、長年本業界に従事した専門的経験及び心得を経て、本願を考案している。
【０００５】
本考案の目的は、活動関節転動式滑り止め杖脚パッドを提供することにあり、該杖脚パッド本体は、受け台及び基台が相互に組み合わさってなり、その受け台は、一般の杖の末端を直接凹溝内に挿入させ、使用者が杖を支持するよう移動する時、受け台につけの傾斜する角度に沿って弾性的に前後左右の異なる方向にねじれ、搖動させることができ、任意に搖動可能な活動関節の特性を形成し、使用者の快適性及び支持の安定性を向上するだけでなく、傾斜、平滑でないか、滑り易く、湿った路面も転倒することなく、安全に走行でき、該傾斜角度を効率的に緩衝する支持力を達成し、杖製品の実用性及び産業の利用価値を増進する。
【０００６】
本考案のもう１つの目的は、活動関節転動式滑り止め脚パッドを提供することにあり、該杖脚パッド本体は、受け台及び基台を相互に組み合わせてなり、そのうち、基台の底端は、環状体を設置し、地面に対し掴む力を増加し、地面と適当な貼付場を保持し、滑り止めの良好な効果を達成し、摩損の効果を減少し、使用者が滑り易く、水のある地面を走行する安全性を向上し、粗い地面の摩損を減少し、耐摩耗性を増加し、使用寿命を延長し、製品の実用性及び優越性を向上することもできる。
【課題を解決するための手段】
【０００７】
上記の目的を達成する為、本考案は、活動関節転動式滑り止め杖脚パッドを提供し、それは、杖脚パッド本体を設置し、該杖脚パッド本体は、受け台及び基台を含む。そのうち、受け台は、錐体状を呈し、基台が環状体である。受け台の軸心位置に凹溝を設置し、該凹溝底端軸心は、貫通孔を貫通設置する。基台軸心箇所に下向きに定位孔を凹設し、該定位孔の底端は、定位溝を延伸する。そのうち、定位溝は、スタッドのスタッド東部の形状と対応し、螺子柱及び基台を互いに結合させ、スタッド東部を該定位溝内に固定させ、コーティング固定状を形成する。傾斜ガイドは、該傾斜ガイドの軸心位置に軸心通孔を貫通設置する。そのうち、傾斜ガイドは、半円弧体状を呈する。該受け台底端は、嵌合溝を設置し、金属パッドを対応して安置させる。そのうち、スタッドの柱体は、底台上端の中央部位から傾斜ガイドの軸心通孔に延伸し、貫通し、受け台底端の金属パッドの軸心通孔を貫通し、受け台の貫通孔を貫通し、受け台の凹溝底部まで延伸する。ナットによりスタッドの柱体上に対応して螺合し、受け台及び基台を相互に結合し、一体に固定し、且つ該受け台及び基台の間に弾性空間を形成する。そのうち、基台の底端外環は、外環状体を凸設する。そのうち、基台の底端に少なくとも１つの環状体を凸設する。そのうち、基台上端中央部位に突出部を延伸し、底台上端及び傾斜ガイドの間の柱体上には、それぞれ金属パッド及びナットを被せ設けることができ、該ナットは、柱体上に対応して螺合し、金属パッドを基台上端に締結固定する。そのうち、傾斜ガイド上方及び受け台底端の嵌合溝内の金属パッドの間は、金属パッドを被せ設けることができる。そのうち、受け台底端の嵌合溝内の金属パッドの軸心通孔の外周は、少なくとも１つの通孔を貫通設置し、螺子を対応して貫通させ、金属パッドを受け台底端の嵌合溝内に螺合する。
【考案の効果】
【０００８】
使用者が杖を支持するよう移動する時、傾斜ガイドの誘導を受け、下向きの力量を与え、受け台を杖の傾斜角度に従って弾性的に前後左右の異なる方向に搖動させ、任意に柔軟な搖動を行うことができる活動関節の特殊構造を形成し、且つ地面と適当な貼付状態を保持し、支持の安定性を増加するだけでなく、滑り止め、摩損を減少し、使用寿命を延長する効果を達成することができる。
【図面の簡単な説明】
【０００９】
【図１】本考案の好適実施例の断面説明図である。
【図２】本考案の好適実施例の立体分解説明図である。
【図３】本考案の好適実施例の基台の立体説明図である。
【図４】本考案の好適実施例の基台の断面説明図である。
【図５】本考案の実施状態の立体分解局部説明図である。
【図６】本考案の実施状態の分解説明図である。
【図７】本考案の実施状態の組み合わせ説明図である。
【図８】本考案の実施状態の拡大説明図一である。
【図９】本考案の実施状態の拡大説明図二である。
【図１０】本考案の実施状態の拡大説明図三である。
【考案を実施するための形態】
【００１０】
本考案の構造、特徴及び効果の所在を分かり易くする為、好適実施例を挙げ、図面に合わせて詳細に説明する。
【００１１】
以下に本考案の特殊構造を示す：
図１、図２、図３、図４に示すように、本考案の好適実施例は、杖脚パッド本体１を設置し、該杖脚パッド本体は、受け台１１及び基台１２を含む。そのうち、受け台１１は、錐体状を呈し、且つ軸心位置に凹溝１１１を設置し、該凹溝１１１底端軸心に貫通孔１１０を貫通設置し、受け台１１底端に嵌合溝１１２を設置し、金属パッド１３を対応して被せ入れ、該金属パッド１３は、受け台１１の硬度を効率的に強化することができ、外力を受けて変形することがなく、そのうち、金属パッド１３の軸心位置に軸心通孔１３０を貫通設置し、且つ軸心通孔１３０の外周は、更に通孔１３１を貫通設置し、螺子１３５を対応して通過させ、受け台１１の底端に螺合させる。該基台１２は、環状体であり、その上端中央部位が突出部１２３を延伸し、突出部１２３の軸心箇所は、下向きに定位孔１２６を凹設し、該定位孔１２６の底端に定位溝１２５を延伸し、そのうち、定位溝１２５は、スタッド２０のスタッド頭部２００の形状と対応し、スタッド２０及び基台１２を互いに結合させ、スタッド頭部２００を該定位溝１２５内に固定させ、コーティング固定状を形成する。そのうち、スタッド２０の柱体２０１は、底台12上端の中央部位の突出部１２３から延伸し、金属パッド１６の通孔１６０を通過し、内ねじ山を有するナット２１により柱体２０１上に対応して螺合し、更に、金属パッド１６を基台１２上端の突出部１２３上に締結固定させ、傾斜ガイド３０の軸心通孔３００及び金属パッド１５の軸心通孔１５０をそれぞれ通過し、更に、底台１２底部を経て貫通孔１１０を貫通し、凹溝１１１底部に延伸し、内ねじ山を有するナット２２により柱体２０１上に対応して螺合し、受け台１１及び基台１２を相互に結合し、一体に固定し、且つ該受け台１１及び基台１２の間に弾性空間１００を形成する。そのうち、傾斜ガイド３０は、半円弧体状を呈する。本考案は、基台１２の底端外環に外環状体１２１を凸設する。該外環状体１２１は、柔軟性を有し、効率的に滑り止めを行い、滑って転倒することを防止する効果を達成し、更に、基台１２の底端に環状体１２２を設置し、該環状体１２２の直径は、外環状体１２１より小さく、地面に対し掴む力を増加でき、使用者に、滑り易いか、水のある表面上において、滑り止めの効果を向上させ、使用者の安全性を増進することができる。
【００１２】
図５、図６、図７に示すように、本考案尾好適実施状態の杖脚パッド本体１の受け台１１の凹溝１１１は、一般の杖の杖末端５０を対応して挿入させることができ、一般の杖末端５０の直径は、６割又は７割となる口径を設け、ただ受け台１１の凹溝１１１を杖末端５０上に被せ入れれば、凹溝１１１の挟持を受け、相互の結合固定の状態を達成することができる。
【００１３】
図８、図９、図１０に示すように、本考案の好適実施状態は、該杖末端５０が、杖脚パッド本体１の受け台１１の凹溝１１１内に容易に直接挿入でき、凹溝１１１の挟持を受けて受け台１１と離脱することがない。且つ受け台１１及び基台１２の間に半円弧体状を有する傾斜ガイド３０を設置し、受け台１１及び基台１２の間に弾性空間１００を形成し、使用者が杖を支持するよう移動する時、傾斜ガイド３０の誘導を受け、下向きの力を与え、杖末端５０及び受け台１１に同時に相対する傾斜角度を呈させ、且つ該受け台１１は、弾性空間１００で任意に搖動し、関節のように、一般に柔軟にねじれ、前後左右の異なる方向の搖動を呈することができる活動関節の特性を形成し、この時、基台１２は、依然として地面と適当な貼付状態を保持し、滑動することがなく、使用者が傾斜、滑りやすい面、又は水のある地面を歩く時、受け台１１が杖の傾斜の角度に従って弾性的に前後左右異なる方向に搖動し、受圧の緩衝弾性を向上し、杖の支持の傾斜又は滑り易い表面によって転倒することがなく、使用者が杖を支持する快適性を十分に向上し、安定性及び安全性を向上し、且つ底部の基台１２が随時、地面と適当な貼付状態を保持し、基台１２底端の外環状態１２１又は環状態１２２の地面に対し掴む力により、使用者の転倒を防止することができ、滑り止めの効果を達成し、更に、基台１２の地面との摩擦の面積を減少することができ、耐摩擦の特性を達成し、更に、使用寿命を延長し、杖製品の優越性及び実用性を増進する。
【００１４】
上記考案構造の説明を総合して分かるように、本考案の構造の新規性及び進歩性は、一般の杖の末端を直接杖脚パッド本体の受け台の凹溝内に挿入させることができ、且つ受け台及び基台の間に半円弧体状の傾斜ガイドを設置し、受け台及び基台の間に弾性空間を形成し、使用者が杖を支持するよう移動する時、傾斜ガイドの誘導を受け、下向きの力量を与え、受け台をつけの傾斜の角度に従って弾性的に前後左右の異なる方向に搖動させることができ、受圧の緩衝弾性を向上し、該受け台が弾性空間で前後左右にねじれ、又は搖動し、任意に柔軟な搖動を行うことができる活動関節の特性を形成し、使用者の支持の安定性及び安全性を確実に向上し、杖製品の優越性、実用性を増進する。
【００１５】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００１６】
１          杖脚パッド本体
１１        受け台
１１１      凹溝
１１０      貫通孔
１１２      嵌合溝
１２        基台
１２１      外環状体
１２２      環状体
１２３      突出部
１２５      定位溝
１２６      定位孔
１３        金属パッド
１３０      軸心通孔
１３１      通孔
１５        金属パッド
１５０      軸心通孔
１６        金属パッド
１６０      軸心通孔
２０        スタッド
２０１      柱体
２１        ナット
２２        ナット
３０        傾斜ガイド
３００      軸心通孔
５０        杖末端
【図１】
0003173737.tif 000003
【図２】
0003173737.tif 000004
【図３】
0003173737.tif 000005
【図４】
0003173737.tif 000006
【図５】
0003173737.tif 000007
【図６】
0003173737.tif 000008
【図７】
0003173737.tif 000009
【図８】
0003173737.tif 000010
【図９】
0003173737.tif 000011
【図１０】
0003173737.tif 000012